(57)【要約】【課題】本発明は小分けボトル表面の印刷設備を開示した。【解決手段】設備主体を含み、前記設備主体の中には作動チャンバが設置され、前記作動チャンバの中には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、本装置は伝統的な印刷制造加工技術よりもっと塗料を節約でき、できる限りモーターの使用を減少し、コストを省く。【選択図】図１
2020183098.tif 000002
【特許請求の範囲】
【請求項１】
正面視で、設備主体を含み、前記設備主体の中には作動チャンバが設置され、前記作動チャンバの中には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、前記伝送ベルト機構が前記小分けボトルを小分けボトル出し溝の中に輸送し、前記小分けボトル出し溝が前記設備主体の底端に固定的に設置され、前記設備主体の両側にはスタンドが固定的に設置されたことを特徴とする小分けボトル表面の印刷設備。
【請求項２】
前記ホルダー機構は前記回転盤の前側に固定的に設置された固定ブロックを含み、前記固定ブロックの中には第一空きチャンバが設置され、前記回転盤の後側にはホルダーモーターが固定的に設置され、前記ホルダーモーターの前側には第一回転軸が動力が伝達できるように連結され、前記第一回転軸の前端には第一ベベルギヤが固定的に設置され、前記固定ブロックの中には前記第一空きチャンバに関して上下対称的に設置された第二空きチャンバが設置され、底部の前記第二空きチャンバを例として説明を行い、前記第二空きチャンバと前記第一空きチャンバとの間にはホルダー軸が回転できるように設置され、前記ホルダー軸の頂端には第二ベベルギヤが固定的に設置され、前記第二ベベルギヤが前記第一ベベルギヤと噛み合っており、前記ホルダー軸の底端には第三ベベルギヤが固定的に設置され、前記固定ブロックの後端には上下対称のホルダーブロックが固定的に設置され、前記ホルダーブロックの中にはスライド溝が設置され、前記スライド溝の中にはスライド板がスライドできるように設置され、前記スライド板の一端には回転挟みブロックが回転できるように設置され、前記スライド板と前記スライド溝との間にはバネが弾性を持つように連結され、前記スライド溝の片側端面には電磁石が固定的に設置され、前記スライド溝のもうひとつの端壁の中には挟持盤が回転できるように設置され、前記挟持盤の一端が挟持ベベルギヤと動力が伝達できるように連結され、前記挟持ベベルギヤが前記第三ベベルギヤと噛み合っていることを特徴とする請求項１に記載の小分けボトル表面の印刷設備。
【請求項３】
前記印刷機構は前記作動チャンバの中にスライドできるように設置された印刷箱を含み、また前記印刷箱は上下にスライドすることしかできなく、前記印刷箱の中には印刷器が設置され、前記印刷器の底端には印刷板が設置され、前記印刷箱の頂端にはポンプボディが固定的に設置され、前記ポンプボディの中にはポンプチャンバが設置され、前記ポンプチャンバの中にはポンプ回転軸が回転できるように設置され、前記ポンプ回転軸の外壁には軸流ファンが四周に向くように固定的に設置され、前記ポンプ回転軸の頂端にはポンプギヤが固定的に設置され、前記作動チャンバのうち頂部の位置に近接しているところには小分けボトル貯蔵箱が固定的に設置され、前記小分けボトル貯蔵箱と前記ポンプチャンバとの間にはビニールパイプによって連通され、前記印刷箱の片側端面には止め板が固定的に設置され、前記設備主体の片側端面には前記作動チャンバの中に伸びている導入板が固定的に設置され、印刷される前記小分けボトルを前記導入板に置き、前記止め板が前記小分けボトルを止め、前記回転盤の左側にはウォームが回転できるように設置され、前記ウォームが前記回転盤と噛み合うように設置され、前記ウォームの頂端には第四ベベルギヤが固定的に設置され、前記第四ベベルギヤの後側にはカムが回転できるように設置され、前記ウォームの底端には扇状ギヤが固定的に設置されたことを特徴とする請求項１に記載の小分けボトル表面の印刷設備。
【請求項４】
前記ファン機構は前記作動チャンバの片側端壁の中に回転できるように設置されたファン軸を含み、前記ファン軸の片側末端にはファンが固定的に設置され、前記ファン軸の外壁には動力プーリが四周に向くように固定的に設置され、前記ファン軸の頂部には伝動軸が回転できるように設置され、前記伝動軸の一端が前記作動チャンバの片側端壁と回転できるように設置され、前記伝動軸の外壁には従動プーリが四周に向くように固定的に設置され、前記従動プーリと前記動力プーリとの間が伝動ベルトによって動力が伝達できるように連結され、前記伝動軸の片側末端には第五ベベルギヤが固定的に設置され、前記第五ベベルギヤは前記ポンプギヤと噛み合うように設置されることができることを特徴とする請求項１に記載の小分けボトル表面の印刷設備。
【請求項５】
前記伝送ベルト機構は前記作動チャンバの片側端壁に固定的に設置されたモーターを含み、前記モーターの片側端には動力軸が動力が伝達できるように連結され、前記動力軸の外壁には大プーリが四周に向くように固定的に設置され、前記ファン軸の外壁にはまた小プーリが固定的に設置され、前記小プーリと前記大プーリとの間が動力ベルトによって動力が伝達できるように連結され、前記大プーリの直径は前記小プーリのより大きく、それによって前記ファン軸の回転速度がより速くなり、前記作動チャンバのうち底部の位置に近接しているところにはフェイスベベルギヤが回転できるように設置され、前記フェイスベベルギヤの前後はいずれもギヤの設計であり、前記動力軸の片側末端には動力ベベルギヤが固定的に設置され、前記動力ベベルギヤと前記フェイスベベルギヤとの間が噛み合うように設置され、前記扇状ギヤが前記フェイスベベルギヤの後端と間欠的に噛み合っており、前記フェイスベベルギヤの両側が対称的に設置され、前記フェイスベベルギヤの間には伝動ベルトが動力が伝達できるように連結され、前記伝動ベルトの外端面には碗が固定的に設置されたことを特徴とする請求項１に記載の小分けボトル表面の印刷設備。
【発明の詳細な説明】
【技術分野】
【０００１】
本発明は洗剤生産加工技術分野に関わり、具体的には小分けボトル表面の印刷設備である。
【背景技術】
【０００２】
生活の中には小分けボトルがよく見られ、小分けボトルは日常生活の各分野に応用されており、普通の小分けボトルは化粧品や香水や薬品などを貯蔵するのであり、小分けボトルを生産する過程の中には、ロゴを印刷すること又は顔料を塗ることが必要があり、顔料を塗る過程には、一般的に小分けボトル主体をホルダーの中に置き、そして顔料があふれる池の中に入れられて着色し、この製造加工方法は大量の顔料を浪費し、従って、顔料を節約でき、且つ作動効率が高い小分けボトル表面の印刷設備を設計する必要がある。
【先行技術文献】
【特許文献】
【０００３】
【特許文献１】中国特許出願公開第１０５３４６２２１号明細書
【発明の概要】
【発明が解決しようとする課題】
【０００４】
本発明は小分けボトル表面の印刷設備を提供し、既存技術にある上記欠点を解消することを目的とする。
【課題を解決するための手段】
【０００５】
本発明の実施例の小分けボトル表面の印刷設備は、設備主体を含み、前記設備主体の中には作動チャンバが設置され、前記作動チャンバの中には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、前記伝動ベルト機構が前記小分けボトルを小分けボトル出し溝の中に輸送し、前記小分けボトル出し溝が前記設備主体の底端に固定的に設置され、前記設備主体の両側にはスタンドが固定的に設置された。
【０００６】
さらなる技術プランには、前記ホルダー機構は前記回転盤の前側に固定的に設置された固定ブロックを含み、前記固定ブロックの中には第一空きチャンバが設置され、前記回転盤の後側にはホルダーモーターが固定的に設置され、前記ホルダーモーターの前側には第一回転軸が動力が伝達できるように連結され、前記第一回転軸の前端には第一ベベルギヤが固定的に設置され、前記固定ブロックの中には前記第一空きチャンバに関して上下対称的に設置された第二空きチャンバが設置され、底部の前記第二空きチャンバを例として説明を行い、前記第二空きチャンバと前記第一空きチャンバとの間にはホルダー軸が回転できるように設置され、前記ホルダー軸の頂端には第二ベベルギヤが固定的に設置され、前記第二ベベルギヤが前記第一ベベルギヤと噛み合っており、前記ホルダー軸の底端には第三ベベルギヤが固定的に設置され、前記固定ブロックの後端には上下対称のホルダーブロックが固定的に設置され、前記ホルダーブロックの中にはスライド溝が設置され、前記スライド溝の中にはスライド板がスライドできるように設置され、前記スライド板の一端には回転挟みブロックが回転できるように設置され、前記スライド板と前記スライド溝との間にはバネが弾性を持つように連結され、前記スライド溝の片側端面には電磁石が固定的に設置され、前記スライド溝のもうひとつの端壁の中には挟持盤が回転できるように設置され、前記挟持盤の一端が挟持ベベルギヤと動力が伝達できるように連結され、前記挟持ベベルギヤが前記第三ベベルギヤと噛み合っている。
【０００７】
さらなる技術プランには、前記印刷機構は前記作動チャンバの中にスライドできるように設置された印刷箱を含み、また前記印刷箱は上下にスライドすることしかできなく、前記印刷箱の中には印刷器が設置され、前記印刷器の底端には印刷板が設置され、前記印刷箱の頂端にはポンプボディが固定的に設置され、前記ポンプボディの中にはポンプチャンバが設置され、前記ポンプチャンバの中にはポンプ回転軸が回転できるように設置され、前記ポンプ回転軸の外壁には軸流ファンが四周に向くように固定的に設置され、前記ポンプ回転軸の頂端にはポンプギヤが固定的に設置され、前記作動チャンバのうち頂部の位置に近接しているところには小分けボトル貯蔵箱が固定的に設置され、前記小分けボトル貯蔵箱と前記ポンプチャンバとの間にはビニールパイプによって連通され、前記印刷箱の片側端面には止め板が固定的に設置され、前記設備主体の片側端面には前記作動チャンバの中に伸びている導入板が固定的に設置され、印刷される前記小分けボトルを前記導入板に置き、前記止め板が前記小分けボトルを止め、前記回転盤の左側にはウォームが回転できるように設置され、前記ウォームが前記回転盤と噛み合うように設置され、前記ウォームの頂端には第四ベベルギヤが固定的に設置され、前記第四ベベルギヤの後側にはカムが回転できるように設置され、前記ウォームの底端には扇状ギヤが固定的に設置されている。
【０００８】
さらなる技術プランには、前記ファン機構は前記作動チャンバの片側端壁の中に回転できるように設置されたファン軸を含み、前記ファン軸の片側末端にはファンが固定的に設置され、前記ファン軸の外壁には動力プーリが四周に向くように固定的に設置され、前記ファン軸の頂部には伝動軸が回転できるように設置され、前記伝動軸の一端が前記作動チャンバの片側端壁と回転できるように設置され、前記伝動軸の外壁には従動プーリが四周に向くように固定的に設置され、前記従動プーリと前記動力プーリとの間が伝動ベルトによって動力が伝達できるように連結され、前記伝動軸の片側末端には第五ベベルギヤが固定的に設置され、前記第五ベベルギヤは前記ポンプギヤと噛み合うように設置されることができる。
【０００９】
さらなる技術プランには、前記伝送ベルト機構は前記作動チャンバの片側端壁に固定的に設置されたモーターを含み、前記モーターの片側端には動力軸が動力が伝達できるように連結され、前記動力軸の外壁には大プーリが四周に向くように固定的に設置され、前記ファン軸の外壁にはまた小プーリが固定的に設置され、前記小プーリと前記大プーリとの間が動力ベルトによって動力が伝達できるように連結され、前記大プーリの直径は前記小プーリのより大きく、それによって前記ファン軸の回転速度がより速くなり、前記作動チャンバのうち底部の位置に近接しているところにはフェイスベベルギヤが回転できるように設置され、前記フェイスベベルギヤの前後はいずれもギヤの設計であり、前記動力軸の片側末端には動力ベベルギヤが固定的に設置され、前記動力ベベルギヤと前記フェイスベベルギヤとの間が噛み合うように設置され、前記扇状ギヤが前記フェイスベベルギヤの後端と間欠的に噛み合っており、前記フェイスベベルギヤの両側が対称的に設置され、前記フェイスベベルギヤの間には伝動ベルトが動力が伝達できるように連結され、前記伝動ベルトの外端面には碗が固定的に設置されている。
【発明の効果】
【００１０】
本発明の有益な効果は：本発明は構成が簡単で、操作が便利であり、ホルダー機構の回転によって小分けボトルにバッチ印刷を行うことを実現でき、ファン機構によって印刷したところの小分けボトルを吹き付けて乾かすことができ、塗料を乾燥させ、また本装置は巧妙な設計を通して、できる限りモーターの使用を減少し、コストを省き、しかも本装置は伝統的な印刷制造加工技術よりもっと塗料を節約できる。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の小分けボトル表面の印刷設備の内部全体構成概略図
【図２】図２は本発明の中の回転盤の側面概略図
【図３】図３は本発明の中のホルダーブロック及びその内部構成概略図
【発明を実施するための形態】
【００１３】
図１〜３を参照し、本発明の実施例の小分けボトル表面の印刷設備は、設備主体１０を含み、前記設備主体１０の中には作動チャンバ８０が設置され、前記作動チャンバ８０の中には回転盤４５が回転できるように設置され、前記回転盤４５の中にはホルダー機構７０が設置され、前記ホルダー機構７０が小分けボトル３４を挟むことができ、前記回転盤４５の片側にはファン機構７１が設置され、前記ファン機構７１は印刷した前記小分けボトル３４を吹き付けて乾かすことができ、前記回転盤４５の頂部には印刷機構７３が設置され、前記印刷機構７３は前記小分けボトル３４に印刷することができ、前記回転盤４５の底部には伝送ベルト機構７２が設置され、前記伝送ベルト機構７２が前記小分けボトル３４を小分けボトル出し溝４２の中に輸送し、前記小分けボトル出し溝４２が前記設備主体１００の底端に固定的に設置され、前記設備主体１００の両側にはスタンド１１が固定的に設置された。
【００１４】
有益な又は例示のように、前記ホルダー機構７０は前記回転盤４５の前側に固定的に設置された固定ブロック５５を含み、前記固定ブロック５５の中には第一空きチャンバ５１が設置され、前記回転盤４５の後側にはホルダーモーター５３が固定的に設置され、前記ホルダーモーター５３の前側には第一回転軸６６が動力が伝達できるように連結され、前記第一回転軸６６の前端には第一ベベルギヤ４６が固定的に設置され、前記固定ブロック５５の中には前記第一空きチャンバに関して上下対称的に設置された第二空きチャンバ６７が設置され、底部の前記第二空きチャンバ６７を例として説明を行い、前記第二空きチャンバ６７と前記第一空きチャンバ５１との間にはホルダー軸４８が回転できるように設置され、前記ホルダー軸４８の頂端には第二ベベルギヤ４７が固定的に設置され、前記第二ベベルギヤ４７が前記第一ベベルギヤ４６と噛み合っており、前記ホルダー軸４８の底端には第三ベベルギヤ４９が固定的に設置され、前記固定ブロック５５の後端には上下対称のホルダーブロック５６が固定的に設置され、前記ホルダーブロック５６の中にはスライド溝６１が設置され、前記スライド溝６１の中にはスライド板５９がスライドできるように設置され、前記スライド板５９の一端には回転挟みブロック６０が回転できるように設置され、前記スライド板５９と前記スライド溝６１との間にはバネ５８が弾性を持つように連結され、前記スライド溝６１の片側端面には電磁石５７が固定的に設置され、前記スライド溝６１のもうひとつの端壁の中には挟持盤６２が回転できるように設置され、前記挟持盤６２の一端が挟持ベベルギヤ５０と動力が伝達できるように連結され、前記挟持ベベルギヤ５０が前記第三ベベルギヤ４９と噛み合っており、電磁石５７が間欠的に作動し、それによってスライド板５９が回転挟みブロック６０を連動させて小分けボトル３４を挟んで持つと放す。
【００１５】
有益な又は例示のように、前記印刷機構７３は前記作動チャンバ８０の中にスライドできるように設置された印刷箱２２を含み、また前記印刷箱２２は上下にスライドすることしかできなく、前記印刷箱２２の中には印刷器２３が設置され、前記印刷器２３の底端には印刷板３２が設置され、前記印刷箱２２の頂端にはポンプボディ２４が固定的に設置され、前記ポンプボディ２４の中にはポンプチャンバ２８が設置され、前記ポンプチャンバ２８の中にはポンプ回転軸２７が回転できるように設置され、前記ポンプ回転軸２７の外壁には軸流ファン２９が四周に向くように固定的に設置され、前記ポンプ回転軸２７の頂端にはポンプギヤ２６が固定的に設置され、前記作動チャンバ８０のうち頂部の位置に近接しているところには小分けボトル貯蔵箱３１が固定的に設置され、前記小分けボトル貯蔵箱３１と前記ポンプチャンバ２８との間にはビニールパイプ３０によって連通され、前記印刷箱２２の片側端面には止め板３３が固定的に設置され、前記設備主体１００の片側端面には前記作動チャンバ８０の中に伸びている導入板３５が固定的に設置され、印刷される前記小分けボトル３４を前記導入板３５に置き、前記止め板３３が前記小分けボトル３４を止め、前記回転盤４５の左側にはウォーム５２が回転できるように設置され、前記ウォーム５２が前記回転盤４５と噛み合うように設置され、前記ウォーム５２の頂端には第四ベベルギヤ１８が固定的に設置され、前記第四ベベルギヤ１８の後側にはカム１９が回転できるように設置され、前記ウォーム５２の底端には扇状ギヤ３８が固定的に設置され、
扇状ギヤ３８がウォーム５２を回転連動させ、それによって第四ベベルギヤ１８が回転し、更にカム１９に印刷箱２２を連動させて上下に間欠的に移動させ、それによって止め板３３が上下に間欠的に移動し、それによって小分けボトル３４はホルダー機構７０の中に間欠的に入ることができる。
【００１６】
有益な又は例示のように、前記ファン機構７１は前記作動チャンバ８０の片側端壁の中に回転できるように設置されたファン軸１３を含み、前記ファン軸１３の片側末端にはファン１７が固定的に設置され、前記ファン軸１３の外壁には動力プーリ１５が四周に向くように固定的に設置され、前記ファン軸１３の頂部には伝動軸２０が回転できるように設置され、前記伝動軸２０の一端が前記作動チャンバ８０の片側端壁と回転できるように設置され、前記伝動軸２０の外壁には従動プーリ２１が四周に向くように固定的に設置され、前記従動プーリ２１と前記動力プーリ１５との間が伝動ベルト１６によって動力が伝達できるように連結され、前記伝動軸２０の片側末端には第五ベベルギヤ２５が固定的に設置され、前記第五ベベルギヤ２５は前記ポンプギヤ２６と噛み合うように設置されることができる。
【００１７】
有益な又は例示のように、前記伝送ベルト機構７２は前記作動チャンバ８０の片側端壁に固定的に設置されたモーター４３を含み、前記モーター４３の片側端には動力軸４１が動力が伝達できるように連結され、前記動力軸４１の外壁には大プーリ４４が四周に向くように固定的に設置され、前記ファン軸１３の外壁にはまた小プーリ１４が固定的に設置され、前記小プーリ１４と前記大プーリ４４との間が動力ベルト１２によって動力が伝達できるように連結され、前記大プーリ４４の直径は前記小プーリ１４のより大きく、それによって前記ファン軸１３の回転速度がより速くなり、前記作動チャンバ８０のうち底部の位置に近接しているところにはフェイスベベルギヤ３９が回転できるように設置され、前記フェイスベベルギヤ３９の前後はいずれもギヤの設計であり、前記動力軸４１の片側末端には動力ベベルギヤ４０が固定的に設置され、前記動力ベベルギヤ４０と前記フェイスベベルギヤ３９との間が噛み合うように設置され、前記扇状ギヤ３８が前記フェイスベベルギヤ３９の後端と間欠的に噛み合っており、前記フェイスベベルギヤ３９の両側が対称的に設置され、前記フェイスベベルギヤ３９の間には伝動ベルト３７が動力が伝達できるように連結され、前記伝動ベルト３７の外端面には碗３６が固定的に設置され、
モーター４３が作動して動力軸４１に大プーリ４４を作動連動させ、更にファン１７を回転させ、動力軸４１が動力ベベルギヤ４０によってフェイスベベルギヤ３９を回転連動させ、それによって碗３６の中の小分けボトル３４が小分けボトル出し溝４２の中に落ちる。
【００１８】
設備が作動する時、モーター４３を始動し、それによって動力軸４１を回転させ、更に動力ベベルギヤ４０を回転させ、動力ベベルギヤ４０がフェイスベベルギヤ３９を回転連動させ、それによって伝動ベルト３７が作動し、フェイスベベルギヤ３９が扇状ギヤ３８を連動させて間欠的に回転させ、ウォーム５２を回転させ、それによって回転盤４５が間欠的に回転し、大プーリ４４が小プーリ１４を回転連動させ、ファン軸１３を回転させ、それによってファン１７が風を吹き付け、それによってウォーム５２がカム１９を回転連動させ、カム１９が印刷箱２２を押圧して上下にスライドさせ、更に止め板３３が間欠的に開けられ又は閉められ、止め板３３が開けられた時、電磁石５７が通電することによって小分けボトル３４が回転挟みブロック６０と挟持盤６２との間に入り、そして電磁石５７が停電することによってバネ５８がスライド板５９を押して戻らせ、小分けボトル３４が回転盤４５の連動によって印刷板３２の真っ下に回転し、この時に印刷箱２２がちょうど小分けボトル３４に当接し、第五ベベルギヤ２５をポンプギヤ２６と噛み合わせ、ポンプ回転軸２７を回転させ、更に小分けボトル貯蔵箱３１の中の顔料を印刷器２３の中に入らせ、ホルダーモーター５３を作動させ、第一ベベルギヤ４６を回転させ、更にホルダー軸４８を回転させ、更に挟持ベベルギヤ５０を回転させ、それによって小分けボトル３４を回転連動させ、印刷することと顔料を塗ることを行い、印刷された回転盤４５が小分けボトル３４を連動させて一番下側に継続して回転させた時に、電磁石５７の電力によって回転挟みブロック６０が小分けボトル３４を放し、小分けボトル３４が碗３６の中に落ち、小分けボトル出し溝４２の中に輸送される。
【００１９】
本発明の有益な効果は：本発明は構成が簡単で、操作が便利であり、ホルダー機構の回転によって小分けボトルにバッチ印刷を行うことを実現でき、ファン機構によって印刷したところの小分けボトルを吹き付けて乾かすことができ、塗料を乾燥させ、また本装置は巧妙な設計を通して、できる限りモーターの使用を減少し、コストを省き、しかも本装置は伝統的な印刷制造加工技術よりもっと塗料を節約できる。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183098.tif 000003
【図２】
2020183098.tif 000004
【図３】
2020183098.tif 000005
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、設備主体を含み、前記設備主体の中には作動チャンバが設置され、前記作動チャンバの前後内壁の間には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、前記伝動ベルト機構が前記小分けボトルを小分けボトル出し溝の中に輸送し、前記小分けボトル出し溝が前記設備主体の底端に固定的に設置され、前記設備主体の両側にはスタンドが固定的に設置されたことを特徴とする小分けボトル表面の印刷設備。
【請求項２】
前記ホルダー機構は前記回転盤の前側に固定的に設置された固定ブロックを含み、前記固定ブロックの中には第一空きチャンバが設置され、前記回転盤の後側にはホルダーモーターが固定的に設置され、前記ホルダーモーターの前側には第一回転軸が動力が伝達できるように連結され、前記第一回転軸の前端には第一ベベルギヤが固定的に設置され、前記固定ブロックの中には前記第一空きチャンバに関して上下対称的に設置された第二空きチャンバが設置され、底部の前記第二空きチャンバを例として説明を行い、前記第二空きチャンバと前記第一空きチャンバとの間にはホルダー軸が回転できるように設置され、前記ホルダー軸の頂端には第二ベベルギヤが固定的に設置され、前記第二ベベルギヤが前記第一ベベルギヤと噛み合っており、前記ホルダー軸の底端には第三ベベルギヤが固定的に設置され、前記固定ブロックの後端には上下対称のホルダーブロックが固定的に設置され、前記ホルダーブロックの中にはスライド溝が設置され、前記スライド溝の中にはスライド板がスライドできるように設置され、前記スライド板の一端には回転挟みブロックが回転できるように設置され、前記スライド板と前記スライド溝との間にはバネが弾性を持つように連結され、前記スライド溝の片側端面には電磁石が固定的に設置され、前記スライド溝のもうひとつの端壁の中には挟持盤が回転できるように設置され、前記挟持盤の一端が挟持ベベルギヤと動力が伝達できるように連結され、前記挟持ベベルギヤが前記第三ベベルギヤと噛み合っていることを特徴とする請求項１に記載の小分けボトル表面の印刷設備。
【請求項３】
前記印刷機構は前記作動チャンバの中にスライドできるように設置された印刷箱を含み、また前記印刷箱は上下にスライドすることしかできなく、前記印刷箱の中には印刷器が設置され、前記印刷器の底端には印刷板が設置され、前記印刷箱の頂端にはポンプボディが固定的に設置され、前記ポンプボディの中にはポンプチャンバが設置され、前記ポンプチャンバの中にはポンプ回転軸が回転できるように設置され、前記ポンプ回転軸の外壁には軸流ファンが四周に向くように固定的に設置され、前記ポンプ回転軸の頂端にはポンプギヤが固定的に設置され、前記作動チャンバのうち頂部の位置に近接しているところには小分けボトル貯蔵箱が固定的に設置され、前記小分けボトル貯蔵箱と前記ポンプチャンバとの間にはビニールパイプによって連通され、前記印刷箱の片側端面には止め板が固定的に設置され、前記設備主体の片側端面には前記作動チャンバの中に伸びている導入板が固定的に設置され、印刷される前記小分けボトルを前記導入板に置き、前記止め板が前記小分けボトルを止め、前記回転盤の左側にはウォームが回転できるように設置され、前記ウォームが前記回転盤と噛み合うように設置され、前記ウォームの頂端には第四ベベルギヤが固定的に設置され、前記第四ベベルギヤの後側にはカムが回転できるように設置され、前記ウォームの底端には扇状ギヤが固定的に設置されたことを特徴とする請求項１に記載の小分けボトル表面の印刷設備。
【請求項４】
前記ファン機構は前記作動チャンバの片側端壁の中に回転できるように設置されたファン軸を含み、前記ファン軸の片側末端にはファンが固定的に設置され、前記ファン軸の外壁には動力プーリが四周に向くように固定的に設置され、前記ファン軸の頂部には伝動軸が回転できるように設置され、前記伝動軸の一端が前記作動チャンバの片側端壁と回転できるように設置され、前記伝動軸の外壁には従動プーリが四周に向くように固定的に設置され、前記従動プーリと前記動力プーリとの間が伝動ベルトによって動力が伝達できるように連結され、前記伝動軸の片側末端には第五ベベルギヤが固定的に設置され、前記第五ベベルギヤは前記ポンプギヤと噛み合うように設置されることができることを特徴とする請求項３に記載の小分けボトル表面の印刷設備。
【請求項５】
前記伝送ベルト機構は前記作動チャンバの片側端壁に固定的に設置されたモーターを含み、前記モーターの片側端には動力軸が動力が伝達できるように連結され、前記動力軸の外壁には大プーリが四周に向くように固定的に設置され、前記ファン軸の外壁にはまた小プーリが固定的に設置され、前記小プーリと前記大プーリとの間が動力ベルトによって動力が伝達できるように連結され、前記大プーリの直径は前記小プーリのより大きく、それによって前記ファン軸の回転速度がより速くなり、前記作動チャンバのうち底部の位置に近接しているところにはフェイスベベルギヤが回転できるように設置され、前記フェイスベベルギヤの前後はいずれもギヤの設計であり、前記動力軸の片側末端には動力ベベルギヤが固定的に設置され、前記動力ベベルギヤと前記フェイスベベルギヤとの間が噛み合うように設置され、前記扇状ギヤが前記フェイスベベルギヤの後端と間欠的に噛み合っており、前記フェイスベベルギヤの両側が対称的に設置され、前記フェイスベベルギヤの間には伝動ベルトが動力が伝達できるように連結され、前記伝動ベルトの外端面には碗が固定的に設置されたことを特徴とする請求項４に記載の小分けボトル表面の印刷設備。
【手続補正２】
【補正対象書類名】明細書
【補正対象項目名】全文
【補正方法】変更
【補正の内容】
【発明の詳細な説明】
【技術分野】
【０００１】
本発明は洗剤生産加工技術分野に関わり、具体的には小分けボトル表面の印刷設備である。
【背景技術】
【０００２】
生活の中には小分けボトルがよく見られ、小分けボトルは日常生活の各分野に応用されており、普通の小分けボトルは化粧品や香水や薬品などを貯蔵するのであり、小分けボトルを生産する過程の中には、ロゴを印刷すること又は顔料を塗ることが必要があり、顔料を塗る過程には、一般的に小分けボトル主体をホルダーの中に置き、そして顔料があふれる池の中に入れられて着色し、この製造加工方法は大量の顔料を浪費し、従って、顔料を節約でき、且つ作動効率が高い小分けボトル表面の印刷設備を設計する必要がある。
【先行技術文献】
【特許文献】
【０００３】
【特許文献１】中国特許出願公開第１０５３４６２２１号明細書
【発明の概要】
【発明が解決しようとする課題】
【０００４】
本発明は小分けボトル表面の印刷設備を提供し、既存技術にある上記欠点を解消することを目的とする。
【課題を解決するための手段】
【０００５】
本発明の実施例の小分けボトル表面の印刷設備は、設備主体を含み、前記設備主体の中には作動チャンバが設置され、前記作動チャンバの前後内壁の間には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、前記伝動ベルト機構が前記小分けボトルを小分けボトル出し溝の中に輸送し、前記小分けボトル出し溝が前記設備主体の底端に固定的に設置され、前記設備主体の両側にはスタンドが固定的に設置された。
【０００６】
さらなる技術プランには、前記ホルダー機構は前記回転盤の前側に固定的に設置された固定ブロックを含み、前記固定ブロックの中には第一空きチャンバが設置され、前記回転盤の後側にはホルダーモーターが固定的に設置され、前記ホルダーモーターの前側には第一回転軸が動力が伝達できるように連結され、前記第一回転軸の前端には第一ベベルギヤが固定的に設置され、前記固定ブロックの中には前記第一空きチャンバに関して上下対称的に設置された第二空きチャンバが設置され、底部の前記第二空きチャンバを例として説明を行い、前記第二空きチャンバと前記第一空きチャンバとの間にはホルダー軸が回転できるように設置され、前記ホルダー軸の頂端には第二ベベルギヤが固定的に設置され、前記第二ベベルギヤが前記第一ベベルギヤと噛み合っており、前記ホルダー軸の底端には第三ベベルギヤが固定的に設置され、前記固定ブロックの後端には上下対称のホルダーブロックが固定的に設置され、前記ホルダーブロックの中にはスライド溝が設置され、前記スライド溝の中にはスライド板がスライドできるように設置され、前記スライド板の一端には回転挟みブロックが回転できるように設置され、前記スライド板と前記スライド溝との間にはバネが弾性を持つように連結され、前記スライド溝の片側端面には電磁石が固定的に設置され、前記スライド溝のもうひとつの端壁の中には挟持盤が回転できるように設置され、前記挟持盤の一端が挟持ベベルギヤと動力が伝達できるように連結され、前記挟持ベベルギヤが前記第三ベベルギヤと噛み合っている。
【０００７】
さらなる技術プランには、前記印刷機構は前記作動チャンバの中にスライドできるように設置された印刷箱を含み、また前記印刷箱は上下にスライドすることしかできなく、前記印刷箱の中には印刷器が設置され、前記印刷器の底端には印刷板が設置され、前記印刷箱の頂端にはポンプボディが固定的に設置され、前記ポンプボディの中にはポンプチャンバが設置され、前記ポンプチャンバの中にはポンプ回転軸が回転できるように設置され、前記ポンプ回転軸の外壁には軸流ファンが四周に向くように固定的に設置され、前記ポンプ回転軸の頂端にはポンプギヤが固定的に設置され、前記作動チャンバのうち頂部の位置に近接しているところには小分けボトル貯蔵箱が固定的に設置され、前記小分けボトル貯蔵箱と前記ポンプチャンバとの間にはビニールパイプによって連通され、前記印刷箱の片側端面には止め板が固定的に設置され、前記設備主体の片側端面には前記作動チャンバの中に伸びている導入板が固定的に設置され、印刷される前記小分けボトルを前記導入板に置き、前記止め板が前記小分けボトルを止め、前記回転盤の左側にはウォームが回転できるように設置され、前記ウォームが前記回転盤と噛み合うように設置され、前記ウォームの頂端には第四ベベルギヤが固定的に設置され、前記第四ベベルギヤの後側にはカムが回転できるように設置され、前記ウォームの底端には扇状ギヤが固定的に設置されている。
【０００８】
さらなる技術プランには、前記ファン機構は前記作動チャンバの片側端壁の中に回転できるように設置されたファン軸を含み、前記ファン軸の片側末端にはファンが固定的に設置され、前記ファン軸の外壁には動力プーリが四周に向くように固定的に設置され、前記ファン軸の頂部には伝動軸が回転できるように設置され、前記伝動軸の一端が前記作動チャンバの片側端壁と回転できるように設置され、前記伝動軸の外壁には従動プーリが四周に向くように固定的に設置され、前記従動プーリと前記動力プーリとの間が伝動ベルトによって動力が伝達できるように連結され、前記伝動軸の片側末端には第五ベベルギヤが固定的に設置され、前記第五ベベルギヤは前記ポンプギヤと噛み合うように設置されることができる。
【０００９】
さらなる技術プランには、前記伝送ベルト機構は前記作動チャンバの片側端壁に固定的に設置されたモーターを含み、前記モーターの片側端には動力軸が動力が伝達できるように連結され、前記動力軸の外壁には大プーリが四周に向くように固定的に設置され、前記ファン軸の外壁にはまた小プーリが固定的に設置され、前記小プーリと前記大プーリとの間が動力ベルトによって動力が伝達できるように連結され、前記大プーリの直径は前記小プーリのより大きく、それによって前記ファン軸の回転速度がより速くなり、前記作動チャンバのうち底部の位置に近接しているところにはフェイスベベルギヤが回転できるように設置され、前記フェイスベベルギヤの前後はいずれもギヤの設計であり、前記動力軸の片側末端には動力ベベルギヤが固定的に設置され、前記動力ベベルギヤと前記フェイスベベルギヤとの間が噛み合うように設置され、前記扇状ギヤが前記フェイスベベルギヤの後端と間欠的に噛み合っており、前記フェイスベベルギヤの両側が対称的に設置され、前記フェイスベベルギヤの間には伝動ベルトが動力が伝達できるように連結され、前記伝動ベルトの外端面には碗が固定的に設置されている。
【発明の効果】
【００１０】
本発明の有益な効果は：本発明は構成が簡単で、操作が便利であり、ホルダー機構の回転によって小分けボトルにバッチ印刷を行うことを実現でき、ファン機構によって印刷したところの小分けボトルを吹き付けて乾かすことができ、塗料を乾燥させ、また本装置は巧妙な設計を通して、できる限りモーターの使用を減少し、コストを省き、しかも本装置は伝統的な印刷制造加工技術よりもっと塗料を節約できる。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の小分けボトル表面の印刷設備の内部全体構成概略図
【図２】図２は本発明の中の回転盤の側面概略図
【図３】図３は本発明の中のホルダーブロック及びその内部構成概略図
【発明を実施するための形態】
【００１３】
図１〜３を参照し、本発明の実施例の小分けボトル表面の印刷設備は、設備主体１０を含み、前記設備主体１０の中には作動チャンバ８０が設置され、前記作動チャンバ８０の前後内壁の間には回転盤４５が回転できるように設置され、前記回転盤４５の中にはホルダー機構７０が設置され、前記ホルダー機構７０が小分けボトル３４を挟むことができ、前記回転盤４５の片側にはファン機構７１が設置され、前記ファン機構７１は印刷した前記小分けボトル３４を吹き付けて乾かすことができ、前記回転盤４５の頂部には印刷機構７３が設置され、前記印刷機構７３は前記小分けボトル３４に印刷することができ、前記回転盤４５の底部には伝送ベルト機構７２が設置され、前記伝動ベルト機構７２が前記小分けボトル３４を小分けボトル出し溝４２の中に輸送し、前記小分けボトル出し溝４２が前記設備主体１００の底端に固定的に設置され、前記設備主体１００の両側にはスタンド１１が固定的に設置された。
【００１４】
有益な又は例示のように、前記ホルダー機構７０は前記回転盤４５の前側に固定的に設置された固定ブロック５５を含み、前記固定ブロック５５の中には第一空きチャンバ５１が設置され、前記回転盤４５の後側にはホルダーモーター５３が固定的に設置され、前記ホルダーモーター５３の前側には第一回転軸６６が動力が伝達できるように連結され、前記第一回転軸６６の前端には第一ベベルギヤ４６が固定的に設置され、前記固定ブロック５５の中には前記第一空きチャンバに関して上下対称的に設置された第二空きチャンバ６７が設置され、底部の前記第二空きチャンバ６７を例として説明を行い、前記第二空きチャンバ６７と前記第一空きチャンバ５１との間にはホルダー軸４８が回転できるように設置され、前記ホルダー軸４８の頂端には第二ベベルギヤ４７が固定的に設置され、前記第二ベベルギヤ４７が前記第一ベベルギヤ４６と噛み合っており、前記ホルダー軸４８の底端には第三ベベルギヤ４９が固定的に設置され、前記固定ブロック５５の後端には上下対称のホルダーブロック５６が固定的に設置され、前記ホルダーブロック５６の中にはスライド溝６１が設置され、前記スライド溝６１の中にはスライド板５９がスライドできるように設置され、前記スライド板５９の一端には回転挟みブロック６０が回転できるように設置され、前記スライド板５９と前記スライド溝６１との間にはバネ５８が弾性を持つように連結され、前記スライド溝６１の片側端面には電磁石５７が固定的に設置され、前記スライド溝６１のもうひとつの端壁の中には挟持盤６２が回転できるように設置され、前記挟持盤６２の一端が挟持ベベルギヤ５０と動力が伝達できるように連結され、前記挟持ベベルギヤ５０が前記第三ベベルギヤ４９と噛み合っており、電磁石５７が間欠的に作動し、それによってスライド板５９が回転挟みブロック６０を連動させて小分けボトル３４を挟んで持つと放す。
【００１５】
有益な又は例示のように、前記印刷機構７３は前記作動チャンバ８０の中にスライドできるように設置された印刷箱２２を含み、また前記印刷箱２２は上下にスライドすることしかできなく、前記印刷箱２２の中には印刷器２３が設置され、前記印刷器２３の底端には印刷板３２が設置され、前記印刷箱２２の頂端にはポンプボディ２４が固定的に設置され、前記ポンプボディ２４の中にはポンプチャンバ２８が設置され、前記ポンプチャンバ２８の中にはポンプ回転軸２７が回転できるように設置され、前記ポンプ回転軸２７の外壁には軸流ファン２９が四周に向くように固定的に設置され、前記ポンプ回転軸２７の頂端にはポンプギヤ２６が固定的に設置され、前記作動チャンバ８０のうち頂部の位置に近接しているところには小分けボトル貯蔵箱３１が固定的に設置され、前記小分けボトル貯蔵箱３１と前記ポンプチャンバ２８との間にはビニールパイプ３０によって連通され、前記印刷箱２２の片側端面には止め板３３が固定的に設置され、前記設備主体１００の片側端面には前記作動チャンバ８０の中に伸びている導入板３５が固定的に設置され、印刷される前記小分けボトル３４を前記導入板３５に置き、前記止め板３３が前記小分けボトル３４を止め、前記回転盤４５の左側にはウォーム５２が回転できるように設置され、前記ウォーム５２が前記回転盤４５と噛み合うように設置され、前記ウォーム５２の頂端には第四ベベルギヤ１８が固定的に設置され、前記第四ベベルギヤ１８の後側にはカム１９が回転できるように設置され、前記ウォーム５２の底端には扇状ギヤ３８が固定的に設置され、
扇状ギヤ３８がウォーム５２を回転連動させ、それによって第四ベベルギヤ１８が回転し、更にカム１９に印刷箱２２を連動させて上下に間欠的に移動させ、それによって止め板３３が上下に間欠的に移動し、それによって小分けボトル３４はホルダー機構７０の中に間欠的に入ることができる。
【００１６】
有益な又は例示のように、前記ファン機構７１は前記作動チャンバ８０の片側端壁の中に回転できるように設置されたファン軸１３を含み、前記ファン軸１３の片側末端にはファン１７が固定的に設置され、前記ファン軸１３の外壁には動力プーリ１５が四周に向くように固定的に設置され、前記ファン軸１３の頂部には伝動軸２０が回転できるように設置され、前記伝動軸２０の一端が前記作動チャンバ８０の片側端壁と回転できるように設置され、前記伝動軸２０の外壁には従動プーリ２１が四周に向くように固定的に設置され、前記従動プーリ２１と前記動力プーリ１５との間が伝動ベルト１６によって動力が伝達できるように連結され、前記伝動軸２０の片側末端には第五ベベルギヤ２５が固定的に設置され、前記第五ベベルギヤ２５は前記ポンプギヤ２６と噛み合うように設置されることができる。
【００１７】
有益な又は例示のように、前記伝送ベルト機構７２は前記作動チャンバ８０の片側端壁に固定的に設置されたモーター４３を含み、前記モーター４３の片側端には動力軸４１が動力が伝達できるように連結され、前記動力軸４１の外壁には大プーリ４４が四周に向くように固定的に設置され、前記ファン軸１３の外壁にはまた小プーリ１４が固定的に設置され、前記小プーリ１４と前記大プーリ４４との間が動力ベルト１２によって動力が伝達できるように連結され、前記大プーリ４４の直径は前記小プーリ１４のより大きく、それによって前記ファン軸１３の回転速度がより速くなり、前記作動チャンバ８０のうち底部の位置に近接しているところにはフェイスベベルギヤ３９が回転できるように設置され、前記フェイスベベルギヤ３９の前後はいずれもギヤの設計であり、前記動力軸４１の片側末端には動力ベベルギヤ４０が固定的に設置され、前記動力ベベルギヤ４０と前記フェイスベベルギヤ３９との間が噛み合うように設置され、前記扇状ギヤ３８が前記フェイスベベルギヤ３９の後端と間欠的に噛み合っており、前記フェイスベベルギヤ３９の両側が対称的に設置され、前記フェイスベベルギヤ３９の間には伝動ベルト３７が動力が伝達できるように連結され、前記伝動ベルト３７の外端面には碗３６が固定的に設置され、
モーター４３が作動して動力軸４１に大プーリ４４を作動連動させ、更にファン１７を回転させ、動力軸４１が動力ベベルギヤ４０によってフェイスベベルギヤ３９を回転連動させ、それによって碗３６の中の小分けボトル３４が小分けボトル出し溝４２の中に落ちる。
【００１８】
設備が作動する時、モーター４３を始動し、それによって動力軸４１を回転させ、更に動力ベベルギヤ４０を回転させ、動力ベベルギヤ４０がフェイスベベルギヤ３９を回転連動させ、それによって伝動ベルト３７が作動し、フェイスベベルギヤ３９が扇状ギヤ３８を連動させて間欠的に回転させ、ウォーム５２を回転させ、それによって回転盤４５が間欠的に回転し、大プーリ４４が小プーリ１４を回転連動させ、ファン軸１３を回転させ、それによってファン１７が風を吹き付け、それによってウォーム５２がカム１９を回転連動させ、カム１９が印刷箱２２を押圧して上下にスライドさせ、更に止め板３３が間欠的に開けられ又は閉められ、止め板３３が開けられた時、電磁石５７が通電することによって小分けボトル３４が回転挟みブロック６０と挟持盤６２との間に入り、そして電磁石５７が停電することによってバネ５８がスライド板５９を押して戻らせ、小分けボトル３４が回転盤４５の連動によって印刷板３２の真っ下に回転し、この時に印刷箱２２がちょうど小分けボトル３４に当接し、第五ベベルギヤ２５をポンプギヤ２６と噛み合わせ、ポンプ回転軸２７を回転させ、更に小分けボトル貯蔵箱３１の中の顔料を印刷器２３の中に入らせ、ホルダーモーター５３を作動させ、第一ベベルギヤ４６を回転させ、更にホルダー軸４８を回転させ、更に挟持ベベルギヤ５０を回転させ、それによって小分けボトル３４を回転連動させ、印刷することと顔料を塗ることを行い、印刷された回転盤４５が小分けボトル３４を連動させて一番下側に継続して回転させた時に、電磁石５７の電力によって回転挟みブロック６０が小分けボトル３４を放し、小分けボトル３４が碗３６の中に落ち、小分けボトル出し溝４２の中に輸送される。
【００１９】
本発明の有益な効果は：本発明は構成が簡単で、操作が便利であり、ホルダー機構の回転によって小分けボトルにバッチ印刷を行うことを実現でき、ファン機構によって印刷したところの小分けボトルを吹き付けて乾かすことができ、塗料を乾燥させ、また本装置は巧妙な設計を通して、できる限りモーターの使用を減少し、コストを省き、しかも本装置は伝統的な印刷制造加工技術よりもっと塗料を節約できる。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
正面視で、設備主体を含み、前記設備主体の中には作動チャンバが設置され、前記作動チャンバの前後内壁の間には回転盤が回転できるように設置され、前記回転盤の中にはホルダー機構が設置され、前記ホルダー機構が小分けボトルを挟むことができ、前記回転盤の片側にはファン機構が設置され、前記ファン機構は印刷した前記小分けボトルを吹き付けて乾かすことができ、前記回転盤の頂部には印刷機構が設置され、前記印刷機構は前記小分けボトルに印刷することができ、前記回転盤の底部には伝送ベルト機構が設置され、前記伝動ベルト機構が前記小分けボトルを小分けボトル出し溝の中に輸送し、前記小分けボトル出し溝が前記設備主体の底端に固定的に設置され、前記設備主体の両側にはスタンドが固定的に設置され、
前記ホルダー機構は前記回転盤の前側に固定的に設置された固定ブロックを含み、前記固定ブロックの中には第一空きチャンバが設置され、前記回転盤の後側にはホルダーモーターが固定的に設置され、前記ホルダーモーターの前側には第一回転軸が動力が伝達できるように連結され、前記第一回転軸の前端には第一ベベルギヤが固定的に設置され、前記固定ブロックの中には前記第一空きチャンバに関して上下対称的に設置された第二空きチャンバが設置され、底部の前記第二空きチャンバを例として説明を行い、前記第二空きチャンバと前記第一空きチャンバとの間にはホルダー軸が回転できるように設置され、前記ホルダー軸の頂端には第二ベベルギヤが固定的に設置され、前記第二ベベルギヤが前記第一ベベルギヤと噛み合っており、前記ホルダー軸の底端には第三ベベルギヤが固定的に設置され、前記固定ブロックの後端には上下対称のホルダーブロックが固定的に設置され、前記ホルダーブロックの中にはスライド溝が設置され、前記スライド溝の中にはスライド板がスライドできるように設置され、前記スライド板の一端には回転挟みブロックが回転できるように設置され、前記スライド板と前記スライド溝との間にはバネが弾性を持つように連結され、前記スライド溝の片側端面には電磁石が固定的に設置され、前記スライド溝のもうひとつの端壁の中には挟持盤が回転できるように設置され、前記挟持盤の一端が挟持ベベルギヤと動力が伝達できるように連結され、前記挟持ベベルギヤが前記第三ベベルギヤと噛み合っており、
前記印刷機構は前記作動チャンバの中にスライドできるように設置された印刷箱を含み、また前記印刷箱は上下にスライドすることしかできなく、前記印刷箱の中には印刷器が設置され、前記印刷器の底端には印刷板が設置され、前記印刷箱の頂端にはポンプボディが固定的に設置され、前記ポンプボディの中にはポンプチャンバが設置され、前記ポンプチャンバの中にはポンプ回転軸が回転できるように設置され、前記ポンプ回転軸の外壁には軸流ファンが四周に向くように固定的に設置され、前記ポンプ回転軸の頂端にはポンプギヤが固定的に設置され、前記作動チャンバのうち頂部の位置に近接しているところには小分けボトル貯蔵箱が固定的に設置され、前記小分けボトル貯蔵箱と前記ポンプチャンバとの間にはビニールパイプによって連通され、前記印刷箱の片側端面には止め板が固定的に設置され、前記設備主体の片側端面には前記作動チャンバの中に伸びている導入板が固定的に設置され、印刷される前記小分けボトルを前記導入板に置き、前記止め板が前記小分けボトルを止め、前記回転盤の左側にはウォームが回転できるように設置され、前記ウォームが前記回転盤と噛み合うように設置され、前記ウォームの頂端には第四ベベルギヤが固定的に設置され、前記第四ベベルギヤの後側にはカムが回転できるように設置され、前記ウォームの底端には扇状ギヤが固定的に設置され、
前記ファン機構は前記作動チャンバの片側端壁の中に回転できるように設置されたファン軸を含み、前記ファン軸の片側末端にはファンが固定的に設置され、前記ファン軸の外壁には動力プーリが四周に向くように固定的に設置され、前記ファン軸の頂部には伝動軸が回転できるように設置され、前記伝動軸の一端が前記作動チャンバの片側端壁と回転できるように設置され、前記伝動軸の外壁には従動プーリが四周に向くように固定的に設置され、前記従動プーリと前記動力プーリとの間が伝動ベルトによって動力が伝達できるように連結され、前記伝動軸の片側末端には第五ベベルギヤが固定的に設置され、前記第五ベベルギヤは前記ポンプギヤと噛み合うように設置されることができ、
前記伝送ベルト機構は前記作動チャンバの片側端壁に固定的に設置されたモーターを含み、前記モーターの片側端には動力軸が動力が伝達できるように連結され、前記動力軸の外壁には大プーリが四周に向くように固定的に設置され、前記ファン軸の外壁にはまた小プーリが固定的に設置され、前記小プーリと前記大プーリとの間が動力ベルトによって動力が伝達できるように連結され、前記大プーリの直径は前記小プーリのより大きく、それによって前記ファン軸の回転速度がより速くなり、前記作動チャンバのうち底部の位置に近接しているところにはフェイスベベルギヤが回転できるように設置され、前記フェイスベベルギヤの前後はいずれもギヤの設計であり、前記動力軸の片側末端には動力ベベルギヤが固定的に設置され、前記動力ベベルギヤと前記フェイスベベルギヤとの間が噛み合うように設置され、前記扇状ギヤが前記フェイスベベルギヤの後端と間欠的に噛み合っており、前記フェイスベベルギヤの両側が対称的に設置され、前記フェイスベベルギヤの間には伝動ベルトが動力が伝達できるように連結され、前記伝動ベルトの外端面には碗が固定的に設置されたことを特徴とする小分けボトル表面の印刷設備。